(57)【要約】【課題】濃淡グラデーション領域を含むカラー画像の濃淡グラデーションを良好に表現することができる印刷方法等を提供することを目的とする。【解決手段】濃淡グラデーション領域を含むカラー画像を複数の色版を刷り重ねて印刷する印刷方法において、前記複数の色版のうち、前記濃淡グラデーション領域にて最も広範に印刷される色版をＦＭスクリーンにより形成し、その他の色版をＡＭスクリーンにより形成する形成工程と、前記形成された各前記色版を用いて前記カラー画像を印刷する印刷工程と、を有することを特徴とする。【選択図】図１
2008006624.tif 000002
【特許請求の範囲】
【請求項１】
濃淡グラデーション領域を含むカラー画像を複数の色版を刷り重ねて印刷する印刷方法において、
前記複数の色版のうち、前記濃淡グラデーション領域にて最も広範に印刷される色版をＦＭスクリーンにより形成し、その他の色版をＡＭスクリーンにより形成する形成工程と、
前記形成された各前記色版を用いて前記カラー画像を印刷する印刷工程と、
を有することを特徴とする印刷方法。
【請求項２】
請求項１に記載の印刷方法において、
前記形成工程は、前記複数の色版のうち、最も淡い色の色版をＦＭスクリーンにより形成し、その他の色版をＡＭスクリーンにより形成することを特徴とする印刷方法。
【請求項３】
請求項１又は２に記載の印刷方法において、
前記複数の色版は、少なくとも特色の色版を含むことを特徴とする印刷方法。
【請求項４】
請求項１乃至３のいずれか一項に記載の印刷方法において、
前記複数の色版に、墨色と白色の色版を含む場合には、当該墨色と白色の色版を除いた前記複数の色版の中から、前記ＦＭスクリーンにより形成する色版を選択することを特徴とする印刷方法。
【請求項５】
請求項１乃至４のいずれか一項に記載の印刷方法は、オフセット印刷であることを特徴とする印刷方法。
【請求項６】
請求項１乃至５のいずれか一項に記載の印刷方法にて印刷された印刷物。
【請求項７】
請求項１乃至５のいずれか一項に記載の印刷方法にて用いられる各前記色版。
【発明の詳細な説明】
【技術分野】
【０００１】
本発明は、複数の色版を刷り重ねてカラー印刷を行なう印刷方法等の技術分野に属し、特に、濃淡グラデーションを表現する印刷方法等に関する。
【背景技術】
【０００２】
図４に、従来公知のＡＭスクリーン（Ａｍｐｌｉｔｕｄｅ  Ｍｏｄｕｌａｔｉｏｎ  Ｓｃｒｅｅｎ）方式によるオフセット印刷版の説明図を示す。ＡＭスクリーン方式は階調表現（濃度表現）を網点の大小で表わす印刷方式である。同図に示すオフセット印刷版は、淡い藍色〜紺色のグラデーションを表現するため紺、濃藍、淡藍の３色の色版から成り、これら色版を刷り重ねることにより、ハイライト部からシャドウ部までの濃淡グラデーションを表現する。
【０００３】
しかし、このようなＡＭスクリーンによる濃淡グラデーション表現においては、ハイライト部から中間調部においてトーンジャンプが発生することがある（図５参照）。
【０００４】
これを解消するために、刷版カーブを修正したり、或いは、オフセット印刷版をＦＭスクリーン（Ｆｒｅｑｕｅｎｃｙ  Ｍｏｄｕｌａｔｉｏｎ  Ｓｃｒｅｅｎ）方式によって作成する手法がある。
【０００５】
図６は、従来公知のＦＭスクリーン方式によるオフセット印刷版を示す。ＦＭスクリーン方式は、階調表現（濃度表現）を微小網点の個数で表わす印刷方式である。同図に示すオフセット印刷版は、ＡＭスクリーンと同様、淡い藍色〜紺色のグラデーションを表現するため紺、濃藍、淡藍の３色の色版から成り、これら色版を刷り重ねることにより、ハイライト部からシャドウ部までの濃淡グラデーションを表現する。
【０００６】
特許文献１には、複数色を重ね刷りするグラビア印刷方法において、藍、赤、黄の印刷ロールはＦＭスクリーンで形成することにより、モアレ発生を防止してグラビア印刷物の品質を向上させる技術が開示されており、また、特許文献２には、１本の印刷ロールに文字と写真画像を含むグラビア印刷ロールにおいて、文字に対応するセルはＡＭスクリーンで形成し、グラデーションで表現される写真画像のセルについては、ＦＭスクリーンで形成することにより、ＡＭスクリーン、ＦＭスクリーン双方のメリットを享受したグラビア印刷ロールに関する技術が開示されている。
【特許文献１】特開２００４―２９１２８２号公報
【特許文献２】特開２００４―２８４２９５号公報
【発明の開示】
【発明が解決しようとする課題】
【０００７】
しかし、上述したＦＭスクリーン方式によるオフセット印刷版では、トーンジャンプの発生は防止できるが、階調表現（濃度表現）を微小網点の密度で表わすため、網点の分布密度が小さくなればなるほど、画像の空間解像度が低下し、画質の劣化が避けられず、ガサツキ感が発生しやすいという問題が生じていた（図７参照）。またこれに加えて、印刷の流れ方向に縦すじノイズが発生しやすいという問題もある。
【０００８】
そこで、本発明は上記課題に鑑みてなされたものであり、濃淡グラデーション領域を含むカラー画像を、複数の色版を刷り重ねて印刷する際、濃淡グラデーションをトーンジャンプやガサツキ感を生じさせることなく良好に表現することができる印刷方法等を提供することを目的とする。
【課題を解決するための手段】
【０００９】
上記課題を解決するため、濃淡グラデーション領域を含むカラー画像を複数の色版を刷り重ねて印刷する印刷方法において、前記複数の色版のうち、前記濃淡グラデーション領域にて最も広範に印刷される色版をＦＭスクリーンにより形成し、その他の色版をＡＭスクリーンにより形成する形成工程と、前記形成された各前記色版を用いて前記カラー画像を印刷する印刷工程と、を有することを特徴とする印刷方法である。
【００１０】
これによれば、濃淡グラデーションを良好に表現することができる。
【００１１】
上記課題を解決するため、請求項２に記載の発明は、請求項１に記載の印刷方法において、前記形成工程は、前記複数の色版のうち、最も淡い色の色版をＦＭスクリーンにより形成し、その他の色版をＡＭスクリーンにより形成することを特徴とする印刷方法である。
【００１２】
上記課題を解決するため、請求項３に記載の発明は、請求項１又は２に記載の印刷方法において、前記複数の色版は、少なくとも特色の色版を含むことを特徴とする印刷方法印刷方法である。
【００１３】
これによれば、特色を含む印刷においても、濃淡グラデーションを良好に表現することができる。
【００１４】
上記課題を解決するため、請求項４に記載の発明は、請求項１乃至３のいずれか一項に記載の印刷方法において、前記複数の色版に、墨色と白色の色版を含む場合には、当該墨色と白色の色版を除いた前記複数の色版の中から、前記ＦＭスクリーンにより形成する色版を選択することを特徴とする印刷方法印刷方法である。
【００１５】
これによれば、墨色と白色を含む印刷においても、濃淡グラデーションを良好に表現することができる。
【００１６】
上記課題を解決するため、請求項５に記載の発明は、請求項１乃至４のいずれか一項に記載の印刷方法は、オフセット印刷であることを特徴とする印刷方法である。
【００１７】
これによれば、オフセット印刷において、濃淡グラデーションを良好に表現することができる。
【００１８】
上記課題を解決するため、請求項６に記載の発明は、請求項１乃至５のいずれか一項に記載の印刷方法にて印刷された印刷物である。
【００１９】
これによれば、濃淡グラデーションが良好に表現された印刷物を提供することができる。
【００２０】
上記課題を解決するため、請求項７に記載の発明は、請求項１乃至５のいずれか一項に記載の印刷方法にて用いられる各前記色版である。
【００２１】
これによれば、濃淡グラデーションを良好に表現することができる色版を提供することができる。
【発明の効果】
【００２２】
本発明によれば、濃淡グラデーションを良好に表現する印刷方法を提供することができる。
【発明を実施するための最良の形態】
【００２３】
以下、本発明の好適な実施の形態を添付図面に基づいて説明する。本実施形態は、本発明の印刷方法をオフセット印刷に適用した場合の一例である。
【００２４】
図１は、本実施形態におけるオフセット印刷版の説明図である。
【００２５】
本実施形態におけるオフセット印刷版は、紺色（紺）、濃い藍色（濃藍）、淡い藍色（淡藍）の特色である３色の色版により構成される。なお、特色とは、Ｃ（シアン）、Ｍ（マゼンタ）、Ｙ（イエロー）、Ｋ（ブラック）で表現せず、インキを混ぜ合わせて、いわば既に作成済みの特別な色である。本実施形態で用いる紺、濃藍、薄藍の他、例えば、Ｃ（シアン）、Ｍ（マゼンタ）、Ｙ（イエロー）、Ｋ（ブラック）で表現できない「金」や「銀」等も特色である。
【００２６】
各色版は、従来公知のＣＴＰ版やＰＳ版を用いるが、例えば、富士写真フィルム株式会社製「ＨＰ−Ｆ」、「ＶＴ−０１」、コダック株式会社製「ＴＣＣ‐８０４」等が用いられる。
【００２７】
そして、各色版は、図中矢印で示す如く、左側が印刷されるグラデーション領域のハイライト部を示し、左側が印刷されるグラデーション領域のシャドウ部を示す。このうち、「紺に対応する色版」と「濃藍に対応する色版」を、ＡＭスクリーン（Ａｍｐｌｉｔｕｄｅ  Ｍｏｄｕｌａｔｉｏｎ  Ｓｃｒｅｅｎ）方式を用いて形成し、グラデーションのハイライト部〜中間調部〜シャドウ部に渡って、他の版と比較して最も広範に印刷される色の色版である「淡藍に対応する色版」を、ＦＭスクリーン（Ｆｒｅｑｕｅｎｃｙ  Ｍｏｄｕｌａｔｉｏｎ  Ｓｃｒｅｅｎ）方式を用いて形成する。なお、各色版を形成する際のＡＭスクリーン、ＦＭスクリーンの手法は、従来公知の手法を用いればよい。
【００２８】
そして、紙やフィルム等の被印刷媒体に、各色版を、「紺に対応する色版」、「濃藍に対応する色版」、そして最後に「淡藍に対応する色版」の順番で、つまり、濃い色の色版から薄い色の色版へ順に刷り重ねて印刷する。これにより、淡い藍色〜紺色の濃淡グラデーションの中間調部からシャドウ部は、ＡＭスクリーンにて形成された色版のメリットを享受して、ガサツキ感を抑え、ハイライト部から中間調部は、最も広範に印刷されるＦＭスクリーンにて形成された色版のメリットを享受して、トーンジャンプを抑えることができ、ＡＭスクリーンとＦＭスクリーンの双方の利点を兼ね備えた良好な濃淡グラデーションが表現された印刷物を図２に示す如く作成することができる。
【００２９】
図３は、本実施形態のオフセット印刷方法によって印刷された実際の印刷物である。印刷物中にある曲線ラインは、印刷のデザイン画によるものである。
【００３０】
従来技術による全ての色版をＡＭスクリーンにて形成した場合の印刷物（図５）、及び全ての色版をＦＭスクリーンにて形成した場合の印刷物（図７）と比較すると、本実施形態のオフセット印刷方法によって印刷された印刷物の質の高さが良くわかる。全ての色版をＡＭスクリーンにて形成した場合の印刷物（図５）は、グラデーションにトーンジャンプが発生しているが、本実施形態のオフセット印刷方法によって印刷された印刷物（図３）は、トーンジャンプが改善され、階調性の高いグラデーションを表現している。また、全ての色版をＦＭスクリーンにて形成した場合の印刷物（図７）は、画像表面にガサツキ感が発生しており、更に図中縦方向に縦すじノイズが発生しているが、本実施形態のオフセット印刷方法によって印刷された印刷物（図３）は、画像表面が滑らかに発色し、縦すじノイズも生じることのない良好な画像を表現している。
【００３１】
以上説明したように、複数の色版を重ね刷りして印刷する印刷方法において、グラデーション領域のハイライト部〜中間調部〜シャドウ部に渡り他の版と比較して最も広範に印刷される色の色版を、ＦＭスクリーンで形成し、その他の色版をＡＭスクリーンで形成することにより、良好なグラデーションを表現することができる。
【００３２】
また、グラデーション領域にて最も広範に印刷される頻度が多い、最も淡い色の色版をＦＭスクリーンで形成し、その他の色版をＡＭスクリーンで形成するよう構成した。なお、最も淡い色とは、例えば光の吸収が最も少ない色である。本実施形態では、紺、濃藍、薄藍のうち、光の吸収が最も少ない薄藍の色版をＦＭスクリーンで形成した。
【００３３】
更に、グラデーション領域にて最も広範に印刷される色版は、刷り重ねの際、最後に刷り重ねられる色の色版である頻度が高い。従って、当該最後に刷り重ねられる色の色版をＦＭスクリーンで形成し、その他の色版をＡＭスクリーンで形成するよう構成した。本実施形態では、紺、濃藍、薄藍のうち、最後に刷り重ねられる薄藍の色版をＦＭスクリーンで形成した。
【００３４】
更に、上述した実施形態では、３版の色版から成るオフセット印刷版について説明したが、本発明は、更に多い数の版、例えば４版〜７版の色版から成るオフセット印刷版の場合にも適用できる。このとき、本実施形態と同様、一つの色版のみをＦＭスクリーンにて形成するだけでなく、例えば、グラデーションのハイライト部〜中間調部〜シャドウ部に渡り他の版と比較して最も広範に印刷される色と、次に広範に印刷される色の２つの色版を、ＦＭスクリーンにて形成し、その他の色版をＡＭスクリーンで形成するよう構成してもよい。
【００３５】
また、本実施形態では、特色である紺、濃藍、淡藍の色版から成るオフセット印刷版の場合について説明したが、色材の三原色Ｃ（シアン）、Ｍ（マゼンタ）、Ｙ（イエロー）と、Ｋ（ブラック）の色版、又はこれらと特色との組み合わせからなるオフセット印刷版の場合にも本発明を適用することができる。この場合、墨版であるＫ（ブラック）の色版を除いた色版の中から、ＦＭスクリーンで形成する色版を選択する。更に、特色の白色の色版を含む場合には、当該白色の色版を除く他の色版の中から、ＦＭスクリーンで形成する色版を選択する。
【００３６】
また、本実施形態は、本発明の印刷方法をオフセット印刷に適用した場合の一例について説明したが、本発明の印刷方法をグラビア印刷やフレキソ印刷等に適用することも可能である。
【図面の簡単な説明】
【００３７】
【図１】本実施形態におけるオフセット印刷版の説明図である。
【図２】本実施形態のオフセット印刷にて印刷された印刷物を示す図である。
【図３】本実施形態のオフセット印刷方法によって印刷された実際の印刷物である。
【図４】従来公知のＡＭスクリーンによるオフセット印刷版の説明図である。
【図５】全ての色版をＡＭスクリーンにて形成した場合の実際の印刷物である。
【図６】従来公知のＦＭスクリーンによるオフセット印刷版の説明図である。
【図７】全ての色版をＦＭスクリーンにて形成した場合の実際の印刷物である。
【図１】
2008006624.tif 000003
【図２】
2008006624.tif 000004
【図３】
2008006624.tif 000005
【図４】
2008006624.tif 000006
【図５】
2008006624.tif 000007
【図６】
2008006624.tif 000008
【図７】
2008006624.tif 000009